(57)【要約】      （修正有）【課題】交換式かみそりカートリッジの使用方法および接続方法を提供する。【解決手段】交換式かみそりカートリッジの使用方法は、カートリッジをディスペンサー内に保存する工程と、ハンドルのハンドル接続構造体を前記カートリッジのカートリッジ接続構造体に向かって接続軸に沿って動かし、前記カートリッジを、前記カートリッジ接続体を前記カートリッジ接続構造体と係合させることによって、前記ハンドルに接続させる工程と、を含む。そして、その後、前記カートリッジを、前記ハンドルを前記接続軸と一列にそろった後退軸に実質的に沿って下がらせることによって、前記ハンドルに接続させたまま前記ディスペンサーから取り除く工程が行われる。【選択図】図２
2008254817.tif 000002
【特許請求の範囲】
【請求項１】
交換式かみそりカートリッジの使用方法において、
カートリッジをディスペンサー内に保存する工程と、
ハンドルのハンドル接続構造体を前記カートリッジのカートリッジ接続構造体に向かって接続軸に沿って動かし、前記カートリッジを、前記カートリッジ接続体を前記カートリッジ接続構造体と係合させることによって、前記ハンドルに接続させる工程と、そして
その後、前記カートリッジを、前記ハンドルを前記接続軸と一列にそろった後退軸に実質的に沿って下がらせることによって、前記ハンドルに接続させたまま前記ディスペンサーから取り除く工程とを含むことを特徴とする方法。
【請求項２】
ハンドル接続構造体が、前記接続軸に沿った動きの間に、ディスペンサーの固着構造体に対してカム運動を行うカム面を有することを特徴とする請求項１記載の方法。
【請求項３】
前記取り除き工程の後、
前記ハンドルおよび接続されたカートリッジを同一のあるいは異なる接続軸に沿って動かすことによって、前記カートリッジを同一のあるいは異なるディスペンサーにつけ直す工程と、
前記カートリッジを前記ハンドルから離す工程と、そして
前記ハンドルを実質的に前記同一のあるいは異なる接続軸に沿って前記カートリッジが前記ディスペンサーに残ったまま後退させる工程と、をさらに含むことを特徴とする請求項１又は２記載の方法。
【請求項４】
交換式かみそりカートリッジを適切な方向でハンドルに接続する方法において、
前記カートリッジをディスペンサー内の前方傾斜ディバイダーと後方傾斜ディバイダーとの間に保存する工程であって、前記両傾斜ディバイダーが互いに概略平行で、前記カートリッジが、前記前方および後方傾斜ディバイダーとの間を通るカートリッジ接続軸を備えるカートリッジ接続構造体を有する工程と、
ハンドルのハンドル接続構造体を、前記カートリッジの前記カートリッジ接続構造体に向かって前記接続軸に沿って動かし、前記カートリッジを前記ハンドルに接続させる工程と、
前記ハンドルに前記接続軸に対して非対象形である遮断構造体を設ける工程であって、前記ハンドルが不適切な方向にあるとき、前記遮断構造体が前記軸の前記後方ディバイダーに近接した側にきて前記後方傾斜ディバイダーによって遮断され、前記ハンドルが適切な方向にあるとき、前記ハンドル上の前記遮断構造体が前記軸の前記後方ディバイダーから離れた側にきて前記後方傾斜ディバイダーを超えられるようになっている工程とを含むことを特徴とする方法。
【請求項５】
前記ハンドルの前記動きが前記遮断構造体を動かし、この遮断構造体が前記ハンドル上に担持されたボタンを含むことを特徴とする請求項４記載の方法。
【請求項６】
前記ハンドルの前記動きが前記ハンドル接続構造体を動かし、このハンドル接続構造体がつなぎ部によって前記ハンドルの細長いハンドグリップ構造体から曲がっており、前記遮断構造体が前記つなぎ部を含むことを特徴とする請求項４又は５記載の方法。
【請求項７】
交換式かみそりカートリッジの使用方法において、
カートリッジをディスペンサー内に保存する工程と、
接続軸に沿って、ハンドルのハンドル接続構造体を前記カートリッジのカートリッジ接続構造体に接続させる工程と、
その後、前記カートリッジを、前記ハンドルを前記接続軸と一列にそろった後退軸に沿って下がらせることによって、前記ハンドルに接続させたまま前記ディスペンサーから取り除く工程とを含み、
前記ディスペンサーが、前記カートリッジが取り除かれる際に前記カートリッジ接続構造体に付勢力をもたらす弾性を有する部材を含むことを特徴とする方法。
【発明の詳細な説明】
【技術分野】
【０００１】
本発明は、交換式かみそりカートリッジの使用方法および交換式かみそりカートリッジを適切な方向でハンドルに接続する方法に関する。
【背景技術】
【０００２】
かみそり刃カートリッジをディスペンサーから取り出すには普通、カートリッジをディスペンサー内に保持した状態で、ハンドルをそのカートリッジに接続する。そして使用者は、カートリッジ本体を保持する突出部の摩擦力や締まりばめに対してハンドルのてこ作用を用い、ディスペンサーに対してハンドルをピボット式に動かしてから、カートリッジをディスペンサーから離すのである。カートリッジがハンドルにピボット式接続をなすタイプのものであると、使用者は、てこ作用が摩擦力や締まりばめに適用される以前に、ピボット式接続によって可能となる動きの範囲を越えてハンドルをピボット式に動かす必要がある。
【発明の開示】
【発明が解決しようとする課題】
【０００３】
本発明は、交換式かみそりカートリッジの使用方法および交換式かみそりカートリッジを適切な方向でハンドルに接続する方法を提供することを目的とする。
【課題を解決するための手段】
【０００４】
本発明の１つの態様では主として、ハンドルとともに用いられるかみそり刃カートリッジのディスペンサーを特徴とする。このディスペンサーはハウジング構造体を有し、このハウジング構造体が、それぞれのカートリッジを受け所定の位置にそれを保持するセクションを成し、ハンドルがカートリッジに向かって動く際、ハンドル上のハンドル接続構造体をカートリッジの１つに接続できるようになっている。ディスペンサーはまた、それぞれのセクションに固着部も有する。それぞれの固着部は、ハンドル上の対応ハンドルカム構造体と相互作用するように形成され位置づけられた固着部カム構造体を有し、ハンドルがカートリッジに向かって動き接続されると、固着部は撓んでカートリッジを外すようになっている。
【０００５】
本発明の別の態様では主として、ハウジング構造体を有するディスペンサーを特徴とし、このハウジング構造体が、基部および、それぞれのカートリッジを受ける傾斜セクションを成す複数の傾斜カートリッジディバイダーとを含む。
【０００６】
本発明のある種の実施の形態では、以下に示したうちの１つもしくはそれより多くの特徴を含んでいる。ある種の実施の形態では、それぞれの固着部が弾性を有する片持ちバリ構造のアームを有し、このアームは、カートリッジディバイダーから延びカム従動子と遮断面とを備えた端部を有し、この遮断面は、カートリッジが外れないように遮断するためのものでアームに対してほぼ垂直である。そしてこのカートリッジディバイダーは刃ユニットディバイダーを含み、この刃ユニットディバイダーは、基部から延びて、基部に対してほぼ垂直で、さらに刃ユニットを受ける刃ユニット域を成す。さらにまた、カートリッジディバイダーは傾斜ディバイダーを含み、この傾斜ディバイダーは、基部に対して鋭角の角度を有してそれぞれの刃ユニットディバイダーの端部から延び、また傾斜域を成し、刃ユニット域へ送りだすときや刃ユニット域から取り除くとき刃ユニットはこの傾斜域を通り、またこの域でカートリッジ接続構造体を受けるようになっている。ひとつのセクションの傾斜域は部分的に隣接セクションの刃ユニット域に重なる。この傾斜カートリッジディバイダーは基部に近接する側壁間に延びる第１部分および第１部分から上方に延びるが側壁には接続されていない第２部分とを有する。この傾斜ディバイダーは、基部に対して３０°以上の角度を成す。ディスペンサーは、それぞれのセクションに対応して排出孔を有する。ディスペンサーは、刃がディスペンサーに接触しないようにカートリッジの端部構造体をその上で支持する持ち上がり部材（たとえばクリップ）を備えている。
【０００７】
本発明の別の態様では主として、固着部によってディスペンサー内の所定の位置に保持された交換式かみそりカートリッジに接続させるハンドルを特徴とする。このハンドルは手をかけられる部分とハンドルの上方端部のハンドル接続構造体とを有する。そしてこのハンドル接続構造体は、ディスペンサー内のカートリッジに向かって接続軸に沿って動くことによってカートリッジへの接続を成す。さらにハンドル接続構造体はハンドルカム構造体を有し、このカム構造体は、ディスペンサー上の対応する固着部の固着部カム構造体と相互作用するように形成され位置づけられて、ハンドルが接続軸に沿ってカートリッジに向かって動いて接続される際、固着部が撓んでカートリッジを外すことができるようになっている。  本発明のある種の実施の形態においては、ハンドル接続構造体は、カートリッジ上のカートリッジ接続構造体内に適合し、ハンドル接続構造体は非対称形状で、ハンドルがカートリッジに向かって動いて接続される際、ハンドル上のカム面とディスペンサー上のカム従動子とが確実に適切な配置をできるようにする。ハンドルはカートリッジを排出するためのボタンを担持しており、このボタンはカム面に隣接したプラットフォーム上にあり、カム面と一列にそろったへこみ域を有し、ハンドルをカートリッジに接続する間およびその後に固着部を受けるスペースを提供している。
【０００８】
本発明の別の態様では主として、刃ユニットとカートリッジ接続構造体とを含む交換式かみそり刃カートリッジを特徴とし、このカートリッジ接続構造体は、ハンドルを接続軸に沿ってカートリッジ接続構造体に向かって動かすことによって、刃ユニットをハンドルに接続するためのものである。カートリッジ接続構造体はさらに、ハンドルが接続軸に沿って動く際、ハンドル上のカム面を受けるためのはめこみ域を含んでいる。
【０００９】
本発明の別の態様では主として、刃ユニットとカートリッジ接続構造体とを含む交換式かみそり刃カートリッジを特徴とし、このカートリッジ接続構造体は、ハンドルを接続軸に沿ってカートリッジ接続構造体に向かって動かすことによって、刃ユニットをハンドルに接続するためのものである。カートリッジ接続構造体はさらにハンドル上に、ハンドルが接続軸に沿って動く際、合致するキー構造体を受けるキー溝として機能する斜め切り込み部分を含んで、ハンドルの適切な方向性を高めている。
【００１０】
本発明の別の態様では主として、刃ユニットとカートリッジ接続構造体とを含む交換式かみそり刃カートリッジを特徴とし、このカートリッジ接続構造体は、ハンドルを接続軸に沿ってカートリッジ接続構造体に向かって動かすことによって、刃ユニットをハンドルに接続するためのものである。この刃ユニットは、細長いハウジングと、接続軸に平行でハウジングの長手方向の軸に垂直な交差バーをハウジングの底部部分に有する。またカートリッジ接続構造体は、カートリッジディスペンサー上で固着部に係合される固着部分を含む。この固着部分は交差バーと一列にそろって、その結果、カートリッジがディスペンサーから取り除かれる際に、交差バーが固着部と一列にそろうようになっている。
【００１１】
本発明のある種の実施の形態においては、カートリッジ接続構造体が平面形状のハンドル接続構造体の挿入のための平面形状の域を成す内向き面を有する。カートリッジ接続構造体は係合構造体を有し、この係合構造体は、ハンドルとの取り外し可能な接続（たとえばスナップ式固定）を提供する。この係合構造体は、ハンドル上の対応するくぼみと合致する突出部になっている。
【００１２】
本発明の別の態様では主として、カム面を備えたハンドルとはめこみ域を備えたカートリッジを含むかみそりを特徴とし、このはめこみ域は、カートリッジがハンドルに接続する間に、ハンドルが接続軸に沿って動く際に、ハンドル上のカム面を受けるためのものである。
【００１３】
本発明の別の態様では主として、カートリッジディスペンサー、このディスペンサー内に保存されているカートリッジ、およびハンドルの組み合わせを特徴とする。そしてこのディスペンサーは固着部を有し、この固着部は、ディスペンサー上に保存されたカートリッジを固着配置に取り外し可能に保持し、固着カム構造体を有する、する。ハンドルはハンドルカム構造体を有し、このハンドルカム構造体は、ハンドルがカートリッジに向かって動いて接続する際に、固着カム構造体と相互作用して固着部が固着配置から撓んでカートリッジを外すようになっている。ハンドルはまたプラットフォームも含み、このプラットフォーム上に、接続されたカートリッジがディスペンサーから取り除かれるのに先立って固着部がカートリッジを取り外した後、非固着配置で固着部が乗り上げるようになっている。
【００１４】
本発明の別の態様では主として、カートリッジディスペンサーとそのディスペンサー内のカートリッジの組み合わせを特徴とする。このカートリッジは、刃ユニットと、刃ユニットに可動的に接続されたカートリッジ接続構造体とを有する。またこのディスペンサーは、刃ユニットを支持するハウジング構造体と、カートリッジ接続構造体に係合する固着部とを支持する。このハウジング構造体と固着部が、カートリッジを不動配置に保持し、固着を解かれてハンドルに接続される準備ができる。
【００１５】
本発明の別の態様では主として、交換式のかみそりカートリッジを使用する方法を特徴とする。このカートリッジはディスペンサー内に保存される。ハンドルのハンドル接続構造体は、接続軸に沿ってカートリッジのカートリッジ接続構造体に向かって動き、カートリッジをハンドルに接続させる。そのあと、ハンドルを後退軸にほぼ沿って後退させることによって、ハンドルに接続された状態でカートリッジをディスペンサーから取り除く。この後退軸は、ハンドルをカートリッジに接続させるために使用された接続軸と同じものであると好ましい。
【００１６】
本発明のある種の実施態様においては、使用後、ハンドルおよび接続されたカートリッジを同じ接続軸もしくは異なる接続軸に沿って動かすことによって、同じディスペンサーもしくは異なるディスペンサー内につけ直す。カートリッジをハンドルから離して、カートリッジをディスペンサーに残したまま、ハンドルを後退させる。
【００１７】
本発明の別の態様では主として、交換式かみそりカートリッジを適切な方向でハンドルに接続する方法を特徴とする。カートリッジは、ディスペンサー内の前方傾斜ディバイダーと後方傾斜ディバイダーとの間の傾斜域に保存されている。ディバイダーは、一般的に相互に平行であり、カートリッジはカートリッジ接続構造体を有し、このカートリッジ接続構造体は、前方および後方傾斜ディバイダーの間を通過するカートリッジ接続軸を備える。ハンドルのハンドル接続構造体は、接続軸に沿って、カートリッジのカートリッジ接続構造体に向かって動き、カートリッジをハンドルに接続させる。ハンドルは接続軸に対して非対称形状になっており、ハンドル上の遮断構造体は、ハンドルが不適切な方向にあるとき、軸の後方ディバイダーに近接した側にあって後方傾斜ディバイダーによって遮断され、一方ハンドルが適切な方向にあるとき、ハンドル上の遮断構造体は軸の後方ディバイダーから遠い側にあって後方傾斜ディバイダーを通過できるようになっている。
【００１８】
ある種の実施の形態においては、遮断構造体はハンドル上に担持されたボタンを含み、ハンドル接続構造体が、つなぎ部を介して、ハンドルの細長いハンドグリップ構造体から曲がっており、遮断構造体がそのつなぎ部を含んでいる。
【００１９】
本発明の別の態様では主として、交換式かみそりカートリッジを使用する方法を特徴としている。このカートリッジはディスペンサー内に保存されている。ハンドルのハンドル接続構造体は、カートリッジのカートリッジ接続構造体に接続される。そして、ハンドルを後退軸にほぼ沿って後退させることによって、カートリッジをハンドルに接続させたままディスペンサーから取り除く。ディスペンサーは、カートリッジが取り除かれる際、カートリッジ接続構造体に付勢力をもたらす弾性部材を有し、この付勢力は後退軸に沿った成分を有し、カートリッジをディスペンサーから排出させるときの補助となる。
【００２０】
本発明の別の態様では主として、交換式のかみそりカートリッジをハンドルに接続する方法を特徴とする。この方法は、ディスペンサー内にカートリッジを保存することを含み、このディスペンサーは、カートリッジのカートリッジ接続構造体を保持する固着部を有する。ハンドルのハンドル接続構造体は、接続軸に沿って、カートリッジ接続構造体に向かって動く。固着部はハンドルカム構造体で非固着配置まで自動的に動き、このハンドルカム構造体が、ハンドルがカートリッジ接続構造体に向かって動き接続される際、固着部カム構造体と相互作用している。
【００２１】
本発明の別の態様では主として、かみそり刃カートリッジのためのディスペンサーをつくる方法を特徴とし、このために、底部プラスチック部と最上部プラスチック部とを永久接続させて、それぞれのかみそり刃カートリッジを受けるためのセクションを合わせて成すものである。
【００２２】
本発明のある種の実施の形態では、最上部と底部を超音波溶接で接続し、底部の刃ユニットディバイダーを、最上部上の傾斜ディバイダーに超音波溶接させる。  本発明の実施例は、以下に示したうちの１つもしくはそれより多くの利点をもつことになろう。つまり、ハンドルは新しいカートリッジに容易に接続でき、カートリッジはハンドルをカートリッジに接続している間に、ディスペンサーから自動的にはずせる。また刃ユニット域と重なっている傾斜域の使用によって、ディスペンサーの基部に沿ったスペースが確保され、ディスペンサーに必要な任意のペグスペースのためのカートリッジの効率的な配置ができる。またハンドルが非対称形であるため、使用者が誤った方向でハンドルをカートリッジに接続せずにすむ。これらの特徴は以下のうちの１つもしくはそれより多くのものを含む。つまり、ハンドルとカートリッジ上の非対称形の接続部分、カートリッジおよびハンドル接続構造体上のキー／キー溝の合致特徴、そして、ハンドルが誤った方向にあるときは傾斜後方ディバイダーによって遮断されるが、適切な方向にあるときは遮断されないようになっているハンドル上の遮断構造体（たとえば一方の側の排出ボタン、あるいは、曲がったつなぎ部）などである。
【００２３】
本発明の他の特徴および利点は以下の実施の形態の説明と請求の範囲とから明らかになるであろう。
【発明を実施するための形態】
【００２４】
第１図乃至第４図を参照すると、かみそり刃カートリッジ１２（第２図）を保存するためのカートリッジディスペンサー１０（第１図）が示されており、それぞれのカートリッジは、カートリッジ接続構造体１６にピボット式に接続された刃ユニット１４を有する。ディスペンサー１０は、カートリッジ１２を受けるためのセクション２０を画成するハウジング構造体１８と、それぞれのセクション２０ごとに設けられ各セクション２０にて各カートリッジ１２を保持するための固着部２２とを含んでいる。セクション２０は、カートリッジディバイダー２４と、ハウジング構造体１８の側壁２６とによって画成される。それぞれのカートリッジディバイダー２４は、垂直な刃ユニットディバイダー部分３６を底部側に、その上に傾斜ディバイダー部分４２を有する。
【００２５】
ディスペンサー１０は２つの成形部品２８，３０からなっており、これらの成形部品は、シーム３２（第４図）のところで超音波溶接によって互いに接合されている。底部分２８は、刃ユニットディバイダー部分３６に垂直な基部３４と、側壁２６（第３図、第４図）からわずかに離れた高さ調節用カートリッジ支持体３８とを含む。カートリッジ支持体３８は、カートリッジ１２（第２図）のうち刃ユニット１４の端部に位置するクリップ４０を支持できるように形成され、またそれと一列にそろって、ディスペンサーがクリップ４０より下に保持された刃に接触しないようになっている。第５図を参照すると、基部３４には、それぞれのカートリッジ１２を受け入れるセクション２０ごとに排出孔５３が設けられている。
【００２６】
第３図および第４図を参照すると、上方部３０は傾斜ディバイダー部分４２を含み、それぞれのディバイダー部分は、側壁２６間に延びる下方部分４４と、柔軟性を保てるように側壁２６に接続されていない上方部分４６を２つ有する。あるいは上方部分４６が側壁２６に接続されていてもよく、この場合、上方部分４６と側壁２６間に任意にスペースを設けるとよい。上方部分４６は最上部４７を有する。それぞれの傾斜ディバイダー部分４２の２つの上方部分４６同士の間には、下方部分４４から上向きに延びる固着部２２がある。前方面４８も同様に側壁２６間に下方部分５０、制約を受けずに立っている上方部分５２、およびそれらの間の固着部２２とを有する。上方部分４６，５２は、固着部２２の端部付近に、接続の間および離す間に、カートリッジとハンドルの接続構造体を受け入れるスペースを有する。
【００２７】
第６図を参照すると、軸５６ｂが傾斜ディバイダー部分４２の下方部分４４およびそこから延びる固着部２２の一部分とを通って延び、接続シーム３２およびその下の基部３４との間に３５°の角度αを成す。この角度αは３０°を越えなければならない。（販売用展示ラックという点でのペグスペースに関して）ディスペンサー１０の長さ寸法内にカートリッジを十分な数提供するということと、ディスペンサー１０が不適切に厚くならないようにするということととの、バランスを考慮すると、３５°という値がよい。すなわち、角度αを９０°まで増加させることによってカートリッジ１２のためのセクション２０を追加できるのだが、ディスペンサーの厚みもそれに応じて増加するからである。３０°という値は、カートリッジ接続構造体１６に対して刃ユニット１４に与えられた角度方向として、カートリッジ１２にアクセスできる下方限界であると確信されている。固着部２２の自由端部はわずかに曲がって固着部カム構造体５４で終端となっている。この構造体は、端面５６、端面５６における隣接面との接合部５８，６０によって画成されるカム従動子を含んでいる。隣接面の１つが遮断面５６ａで、下方部４４を通過する長手方向の軸５６ｂと９０°なる角度を成す。遮断面５６ａに隣接するのが保持面６２であり、これは下記に述べるように、カートリッジ接続構造体１６（第１０図）の固着器８２と接触する。
【００２８】
第２図を参照すると、ハンドル６３は細長いまっすぐなハンドグリップ部６５と、そのハンドグリップ部６５の上方端部に設けられたハンドル接続構造体６４とを含んでいる。構造体６４のほぼ平らな延長部６６は、カートリッジ接続構造体１６（第９図）内の対応する凹部６７内に適合するようにつくられており、共に台形の形状をしている。ハンドル接続構造体６４は、ハンドグリップ部６５から曲がっており、つなぎ部分７１を介してグリップ部に接続されている。ハンドル接続構造体６４はばね付勢されたプランジャー６１を含み、交差バー４１のカム面においてピボット式刃ユニット１４を付勢する。ハンドル接続構造体６４はまたボタン６８を含み、これはハンドル６３からカートリッジ１２を排出するために延長部６６の前方端部からプレッサーを伸ばすのに用いられる（第２図には図示されていない）。カートリッジ１２およびハンドル接続構造体６４の構造および操作、プランジャー６１と交差バー４１のカム面との相互作用、およびカートリッジ１２とハンドル６３との接続および離れるときの詳細については、１９９６年４月１０日出願の出願番号０８／６３０，４３７号、および同時出願の「シェービングかみそりおよび方法」なる特許出願に示されている。なお、これらは参考のために、ここで十分に説明されたものとして本明細書中に引用する。  主として第７図および第８図を参照すると、ハンドル６３のハンドル接続構造体６４は、カム面７０を有するハンドルカム構造体６９を含む。このカム面は、延長部６６がディスペンサー１０内に収まっているカートリッジ１２（第１１図）の凹部６７（第９図）に挿入される際、固着部２２（第６図）のカム従動子構造体５４（面５６および接合部５８，６０）に対して作用する。第８図に示したように、面７０は接続軸７２に対して鋭角（およそ２２°）を成している。ハンドル接続構造体６４は、プラットフォーム部７４と、カム面７０の両側に設けられた概略半円の部分７６とを含む。そしてカートリッジ接続構造体１６は、ハンドル接続構造体６４のプラットフォーム７４を受けられるような形状の斜め切り込み部分８０（第２図、第９図）を有する。斜め切り込み部分８０は、ハンドル６３のプラットフォーム部７４と合致するための、キー溝として機能し、カム面７０と固着部２２のカム従動子構造体の適切な並び、およびカートリッジ１２に接続している際のハンドル６３の適切な方向性を確保している。
【００２９】
第８Ａ図に示されたように、延長部６６は、その外向き面を通る接続軸７２  （第７図および第８図）に垂直な平らな断面においては、非対称形状である。そして、カートリッジ１２のカートリッジ接続構造体１６内の凹部６７（第９図）は、その合致する内向き面を通る接続軸７２に垂直な平らな断面においても、同じ形状を有する。ここで述べたように、合致するプラットフォームおよび斜め切り込み部が、非対称形状であるということによって、接続する際のカム面７０と固着部２２のカム従動子構造体５４の適切な並び、およびハンドル６３とカートリッジ１２の適切な方向性が確保される。ボタン６８は、カム面７０と直線上に並んだへこみ域７３を有し、ハンドル６３が傾きながら前方に向かうとき、ハンドル接続構造体６４がカートリッジ１２の接続構造体１６と接続する際および接続した後に、固着部２２を受けるスペースを提供する（第１４図）。
【００３０】
第９図を参照すると、カートリッジ接続構造体１６は、ハンドル６３が接続軸７２に沿って動くとき（第１２図、第１３図）、ハンドル６３のカム面７０を受けるための、はめこみ域７８を有していることがわかる。カートリッジ接続構造体１６はまた、はめこみ域７８の最上部と斜め切り込み部８０の中央とが接合するところに配置された被固着部８２も有する。被固着部８２は、ディスペンサー１０に保持されているとき固着部２２の保持面６２に接触する（第６図、第１０図）。カートリッジ接続構造体１６はさらに、ハンドル６３の２つのくぼみ８５（第８図）と合致する戻りどめ８３を２つ有する。カートリッジ接続構造体１６の端から延びた、ピボット７９の付いたアーム７７が２つ（第９図ではピボットが１つ付いたアームを１つだけ示している）は、上述した特許出願０８／６３０，４３７号に詳細に説明されているように、刃ユニット１４（第２図）とのピボット式接続を成すものである。
【００３１】
カートリッジ１２をそれぞれのセクション２０内に装填するとき、それぞれの刃ユニット１４の底部は、ディバイダー４２（もしくは後ろ側の傾斜壁９５）の上方面９０（第４図、第１０図）によって案内され、傾斜域９２を通って、刃ユニット域９４に入る。（したがって、面９０はディバイダー４２の下方部４４と上方部４６の両方の上方面を含むことになる）。刃ユニット１４の底部はまた、カートリッジ支持体３８の上方形成面に沿って案内され、刃ユニットの前方が刃ユニットディバイダー部分３６に当接して静止した状態で、支持体３８上に静止する。第４図に示されているように、カートリッジ支持体は最初にほぼ水平部分を有し、そのあと第１傾斜部分、それから第１傾斜部分より小さい角度の第２傾斜部分を有する。第１０図に示されたように、ピボット式カートリッジ接続構造体１６は、固着部２２の保持面６２がカートリッジ接続構造体１６の被固着部８２と係合する位置におかれる。上述したように、カートリッジ接続構造体１６は刃ユニット１４にピボット式に固定されている。第１０図においては、刃ユニット１４はカートリッジ接続構造体１６に対して最も開いた方向でのピボット限界にある。したがって被固着部８２は第１０図に示された位置から下にはもはや動けないし、保持面６２による介入によって域９２から後方に（右方向）にさがることもできない。第１０図によって示されたカートリッジの保存位置においては、固着部２２の非撓み位置からの撓みはなく、したがってカートリッジ接続構造体１６上の固着部２２の力はゼロもしくは最小となっている。もし固着部２２がわずかでも外側に撓み、あるいは、カートリッジ接続構造体１６と刃ユニット１４とが、もしくは被固着部８２と保持面６２との間のわずかなスペースが、もう少し大きく開いた方向になったとすると、カートリッジ接続構造体１６の被固着部８２は少しだけ後方に（右方向）に動いて、保持面６２の異なる位置と接触できるであろう。しかし、被固着部８２は、固着部２２が外側に（すなわち第１０図では上方に）大きく撓まない限り、固着部２２の遮断面５６ａを越えることはない。
【００３２】
使用に際しては、かみそりを使う人がハンドル６３上のカートリッジ１２を交換したいときに、その時点で固定されているカートリッジ１２をボタン６８を用いて抜いて捨てる（あるいは、後述するように、ディスペンサー１０のあいているセクション２０に挿入する）。それから、延長部６６を接続軸７２に沿って、合致する凹部６７に導入して、ディスペンサー１０内の使用カートリッジ１２をハンドル６３に接続する。第１０図は、保存中およびハンドル６３への接続に先立つ、ディスペンサー１０内のカートリッジ接続構造体１６の位置を示すものである。第１１図は、ハンドル６３上のカム面７０が最初に、ディスペンサー１０上の固着部２２の固着部カム構造体５４と接触している際の、ハンドル接続構造体６４の位置を示したものである。第１２図は、ハンドル接続構造体６４がさらに挿入されたときの固着部２２の最初の撓みを示したものであり、第１３図は、カートリッジ接続構造体１６に接続されたハンドル接続構造体６４を示したものである。
【００３３】
使用者は、ハンドル６３の接続軸７２に対する非対称形状特徴によって、誤った方向でハンドル６３をカートリッジ１２に接続せずにすむ。本願の特徴の２つをあげると、延長部６６の非対称形状であり、半円形状プラットフォーム７４の合致するキー／キー溝特徴がある。これら２つの特徴によって、カートリッジがディスペンサー１０内にあろうとなかろうと、カートリッジ接続構造体１６に対してハンドル６３が適切な方向になければ（つまり上下さかさま）、戻りどめ８３とくぼみ８５が係合した状態で、延長部６６が凹部６７に完全挿入されないようになっている。別の２つの特徴である、ボタン６８とつなぎ部分７１とによって、保存セクション２０の傾斜配置のせいで、使用者はハンドル接続構造体６４をディスペンサー１０内のカートリッジ１２に近づけることさえできない。しかしハンドル６３が第１１図に示されたような適切な方向にあるとき、ボタン６８とつなぎ部分７１とは接続軸７２の前方傾斜ディバイダー４２に近接した側にあり（第１図、第５図、および第１１図を参照）、後方傾斜ディバイダー４２から離れて、ディスペンサー１０のいかなる構造体によっても遮断されない。もし使用者がカートリッジ１２をハンドル６３に上下さかさまにとりつけようとすると、ボタン６８およびつなぎ部分７１が軸７２の後方ディバイダー４２にもっとも近接して、それによって遮断されてしまう。したがって、ディスペンサー１０上の傾斜ディバイダーの使用によって、ボタン６８およびつなぎ部分７１とが遮断構造体として機能し、使用者がハンドル６３をディスペンサー１０内のカートリッジ１２に接続しようとする以前に、ハンドル６３を正しい方向に配しやすくするのである。
【００３４】
ハンドル６３が第１１図に示されたような正しい方向にある場合、ハンドル接続構造体６４が接続軸７２に沿って動く際、カム面７０は固着部２２（第１１図）のカム従動子構造体５４と接触する。引き続き軸７２に沿った挿入によって、カム面７０は片持ちばり固着部２２を外側に付勢する（第１２図）。固着部２２が外側に動く際、その片持ちばりアームは主として基部付近に屈曲し（第４図、第６図参照）、遮断面５６ａ（第６図）はその遮断面の平面にほぼ沿って（下方部分４４を通る長手方向の軸５６ｂに垂直に）動く。ハンドル接続構造体６４がさらに軸７２に沿って挿入するにつれ、固着部２２はプラットフォーム７４に乗り上げられて、第１３図に示された接続位置において戻りどめ８３がくぼみ８５内に正しく固定されるのに先立って、あるいはそれと同時に、カートリッジ構造体を取り外す非固着配置に至る。はめこみ域７８は、カム面７０を接続位置で受けるために、カートリッジ接続構造体１６内に域を提供する。使用者がこの時点でハンドル６３を上方に傾けると、固着部２２はさらに撓んで、プラットフォーム７４を乗り越えて、固着部２２を壊すことなく、ボタン６８のへこみ域７３までいくことができる。
【００３５】
次いで使用者は、ハンドル６３と接続されていたカートリッジ１２をディスペンサー１０から後退させる。そのとき、接続の際にハンドルが移動したのと同じ軸、すなわち接続軸７２に沿っていくのが普通である。カートリッジは第１３図の最初の接続位置から第１５図の最初の後退位置、第１６図のさらなる後退位置まで動く。固着部２２がカートリッジ接続構造体１６の外側を乗り越えているときは（第１５図、第１６図）、弾性を有する片持ちばり構造体である固着部２２はいまだ、最初の後退の際は撓み位置にあるので、固着部２２はカートリッジ接続構造体１６に付勢力をもたらす。第１６図の位置においては、固着部２２は接続構造体１６の曲面の前方面１００と接触しているので、固着部２２によってもたらされた付勢力は、軸７２に沿った成分を有し、これによってディスペンサー１０から接続されたカートリッジを排出しやすくなる。
【００３６】
ハンドルと接続されたカートリッジとが第１６図に示された位置からさらに外側に動く際、刃ユニット１４は固着部２２を通過する。この時点で、固着部２２は刃ユニット１４の背面と接触し、固着部２２は刃ユニット１４の背面上の、刃に垂直でかつ被固着部８２と一列にそろっている、交差バー４１に乗り上げる  （第２図）。固着部２２はかくして、刃ユニット１４の背面上の他の構造体（たとえば刃ユニット１４のハウジングの垂直部分）上にくることはありえない。交差バー４１はまた、刃ユニット１４に強度を与え、ばね付勢されたプランジャー６１によって作用されるカム面を有してもいる。
【００３７】
使用者がシェービングに使った後にカートリッジ１２を交換したいとき、カートリッジを接続軸７２に沿って挿入し、ボタン６８を用いてカートリッジを排出することによってディスペンサー１０に戻すことができる。排出前に固着部２２はプラットフォーム７４にのっている。排出前に、もしハンドルを（たとえば第１４図に示したように）上方に傾けると、固着部２２はへこみ域７３内まで動く。そして、ハンドル６３を後退させる際、カートリッジは自動的に固着部２２によって係合され、固着部２２は後退のあいだにプラットフォーム７４およびカム面７０をおりる。ディスペンサー１０内に保存された使用ずみの刃ユニット１４上の液体は、排出孔５３（第５図）を通って排出させることが可能である。
【００３８】
本発明の他の実施の形態は請求の範囲に含まれている。
【図面の簡単な説明】
【００３９】
【図１】第１図は、かみそり刃カートリッジのためのディスペンサーの斜視図である。
【図２】第２図は、交換式かみそりカートリッジと、使用のためにこのカートリッジが接続されるハンドル（部分図として示されている）とが一列にそろった様子を示す斜視図である。
【図３】第３図は、第１図のディスペンサーの平面図である。
【図４】第４図は、第１図のディスペンサーの、第３図の４−４線についての垂直断面図である。
【図５】第５図は、第１図のディスペンサーの底面図である。
【図６】第６図は、第１図のディスペンサーの傾斜ディバイダーと固着部の、第４図の６−６線についての垂直断面図である。
【図７】第７図は、第２図のハンドルの上方端部におけるハンドル接続構造体の平面図である。
【図８】第８図は、第７図のハンドル接続構造体の立面図である。
【図８Ａ】第８Ａ図は、第７図のハンドル接続構造体の端部の、第８図の８Ａ−８Ａ線についての垂直断面図である。
【図９】第９図は、第２図のカートリッジのカートリッジ接続構造体の断面図である。
【図１０】第１０図は、第１図のディスペンサーの１つのセクションにおけるディバイダー間に保存された、第２図のカートリッジの配置を示す概略図である。
【図１１】第１１図は、ハンドルが第１図のディスペンサー内のカートリッジに接続されている間、および接続されたカートリッジがディスペンサーから取り除かれる間の、カートリッジ、ディスペンサー構成部品、およびハンドルの配置を示す概略図である。
【図１２】第１２図は、ハンドルが第１図のディスペンサー内のカートリッジに接続されている間、および接続されたカートリッジがディスペンサーから取り除かれる間の、カートリッジ、ディスペンサー構成部品、およびハンドルの配置を示す概略図である。
【図１３】第１３図は、ハンドルが第１図のディスペンサー内のカートリッジに接続されている間、および接続されたカートリッジがディスペンサーから取り除かれる間の、カートリッジ、ディスペンサー構成部品、およびハンドルの配置を示す概略図である。
【図１４】第１４図は、ハンドルが第１図のディスペンサー内のカートリッジに接続されている間、および接続されたカートリッジがディスペンサーから取り除かれる間の、カートリッジ、ディスペンサー構成部品、およびハンドルの配置を示す概略図である。
【図１５】第１５図は、ハンドルが第１図のディスペンサー内のカートリッジに接続されている間、および接続されたカートリッジがディスペンサーから取り除かれる間の、カートリッジ、ディスペンサー構成部品、およびハンドルの配置を示す概略図である。
【図１６】第１６図は、ハンドルが第１図のディスペンサー内のカートリッジに接続されている間、および接続されたカートリッジがディスペンサーから取り除かれる間の、カートリッジ、ディスペンサー構成部品、およびハンドルの配置を示す概略図である。
【図１】
2008254817.tif 000003
【図２】
2008254817.tif 000004
【図３】
2008254817.tif 000005
【図４】
2008254817.tif 000006
【図５】
2008254817.tif 000007
【図６】
2008254817.tif 000008
【図７】
2008254817.tif 000009
【図８】
2008254817.tif 000010
【図８Ａ】
2008254817.tif 000011
【図９】
2008254817.tif 000012
【図１０】
2008254817.tif 000013
【図１１】
2008254817.tif 000014
【図１２】
2008254817.tif 000015
【図１３】
2008254817.tif 000016
【図１４】
2008254817.tif 000017
【図１５】
2008254817.tif 000018
【図１６】
2008254817.tif 000019